(57)【特許請求の範囲】
【請求項１】
ワイヤレス送信器からワイヤレス受信器へ定期送信及び各種の通報を行うとともに、読出端末装置がこれらの通信記録を読み出すワイヤレスセキュリティシステムにおいて、
上記ワイヤレス送信器は、予め定められた定期送信間隔で繰り返し計時を行う送信タイマ手段と、送信履歴情報の記憶保持手段とを備えており、上記記憶保持手段は、階層構造をなし、かつ、それぞれの履歴メモリには、定期送信の異常、各種の通報の有無を示す１ビット情報を格納されるエリアが設けられた、一日履歴メモリ、週間履歴メモリ、月間履歴メモリと、
上記一日履歴メモリあるいは上記週間履歴メモリの全エリアへの１ビット情報の格納が終了した際に、それぞれのメモリ内に、定期送信の異常、各種の通報があった旨を示す情報があったときには、その旨を示す情報を格納する週間補助メモリあるいは月間補助メモリとを備えた構成とされ、
上記読出端末装置は、
内部時計と、上記ワイヤレス送信器とは有線接続されて、上記記憶手段に保持された送信履歴データを読み出し可能とされており、上記ワイヤレス送信器から送信履歴情報を読み出したときには、上記内部時計の現在時刻と上記送信タイマ手段の計時値とに基づいて、上記ワイヤレス送信器の定期送信時刻、各種の通報の送信時刻を、上記ワイヤレス送信器の定期送信間隔を基準にして特定する手段とを備えていることを特徴とするワイヤレスセキュリティシステム。
【請求項２】
請求項１において、
上記ワイヤレス受信器は、予め定められた定期受信間隔で繰り返し計時を行う受信タイマ手段と、受信履歴情報の記憶保持手段とを備えており、
上記読出端末装置は、
内部時計を有し、上記ワイヤレス受信器とは有線接続されて、上記記憶手段に保持された受信履歴データを読み出し可能とされており、上記ワイヤレス受信器から受信履歴情報を読み出したときには、上記内部時計の現在時刻と上記受信タイマ手段の計時値とに基づいて、上記ワイヤレス受信器の定期受信時刻、各種の通報の受信時刻を、上記ワイヤレス受信器の定期受信間隔を基準にして特定する手段とを備えていることを特徴とするワイヤレスセキュリティシステム。
【請求項３】
請求項２において、
上記ワイヤレス受信器の記憶保持手段は、階層構造をなし、かつ、それぞれの履歴メモリには、定期送信の異常、各種の通報の有無を示す１ビット情報を格納されるエリアが設けられた、一日履歴メモリ、週間履歴メモリ、月間履歴メモリと、
定期送信の異常、各種の通報があったときには、その旨を格納する補助メモリを備えた構成としているワイヤレスセキュリティシステム。
【請求項４】
請求項２，３のいずれかに記載の本発明によるワイヤレスセキュリティシステムにおいて、
上記読出端末装置は、電話回線を介して上記ワイヤレス受信器に接続され、
上記ワイヤレス受信器から受信履歴データの読み出しを電話回線を介して行うことを特徴とするワイヤレスセキュリティシステム。
【発明の詳細な説明】
【０００１】
【発明の属する技術分野】
本発明は、ワイヤレスセキュリティシステムに係り、更に詳しくは、ワイヤレス送信器が、ワイヤレス受信器に対して定期送信及び各種の通報を無線通信により行うシステムの改良に関する。
【０００２】
【従来の技術】
この種のワイヤレスセキュリティシステムは、送信器から緊急時であること等を無線通信により受信器に知らせるものであり、送信器には、センサーが取り付けられ、或は、緊急用押釦が設けられる一方、受信器には、緊急時であることを知らせるための発報手段が設けられている。従って、緊急事態が生じたことを離れた場所にある受信器において報知することができるものである。
【０００３】
この様なシステムにおいては、電波障害があるなど電波状態が悪い場合や、誤ってワイヤレス通信可能な保証距離範囲外で使用された場合等においては、送信器からのワイヤレス信号を受信器が受信できず、或は、正しく受信できないことも考えられる。この様な場合には、緊急事態であるにも関わらず、受信器が緊急事態を報知することができない失報を招くこととなり、システムの信頼性に関わる問題となる。
【０００４】
このため、失報が起きた場合に、送信器における発報信号の送信に問題があったのかどうか、送信器から電池切れ通報が送信され、受信器において警報表示されていたにも関わらず、放置していたために失報したのか等を解析することが必要となる。
ところが、これらの状態を解析することは容易でなかった。即ち、送信器が送信した時刻や内容が分からないため、いつ、どの様な信号が受信できなかったのかを特定することができない。
【０００５】
一方、送信器は、受信器に対し、定期送信を行っているため、これら全ての送信情報、受信情報を送信器内、受信器内に蓄積保持させる場合には、データ量が大きくなり過ぎるために、各装置のコストアップになってしまう。
【０００６】
【発明が解決しようとする課題】
本発明に、上記の事情に鑑みてなされたもので、ワイヤレス送信器、ワイヤレス受信器間の無線通信状態に関する情報を記録保持して、動作不良の原因の解析を容易にすることにより、信頼性の高いワイヤレスセキュリティシステムを安価に提供することを目的とする。
【０００７】
【課題を解決するための手段】
請求項１では、ワイヤレス送信器は、予め定められた定期送信間隔で繰り返し計時を行う送信タイマ手段と、送信履歴情報の記憶保持手段とを備えており、上記記憶保持手段は、階層構造をなし、かつ、それぞれの履歴メモリには、定期送信の異常、各種の通報の有無を示す１ビット情報を格納されるエリアが設けられた、一日履歴メモリ、週間履歴メモリ、月間履歴メモリと、一日履歴メモリあるいは上記週間履歴メモリの全エリアへの１ビット情報の格納が終了した際に、それぞれのメモリ内に、定期送信の異常、各種の通報があった旨を示す情報があったときには、その旨を示す情報を格納する週間補助メモリあるいは月間補助メモリとを備えた構成とされ、読出端末装置は、内部時計と、ワイヤレス送信器とは有線接続されて、記憶手段に保持された送信履歴データを読み出し可能とされており、ワイヤレス送信器から送信履歴情報を読み出したときには、内部時計の現在時刻と送信タイマ手段の計時値とに基づいて、ワイヤレス送信器の定期送信時刻、各種の通報の送信時刻を、ワイヤレス送信器の定期送信間隔を基準にして特定する手段とを備えていることを特徴とする。
請求項２では、ワイヤレス受信器は、予め定められた定期受信間隔で繰り返し計時を行う受信タイマ手段と、受信履歴情報の記憶保持手段とを備えており、読出端末装置は、内部時計を有し、ワイヤレス受信器とは有線接続されて、記憶手段に保持された受信履歴データを読み出し可能とされており、ワイヤレス受信器から受信履歴情報を読み出したときには、内部時計の現在時刻と受信タイマ手段の計時値とに基づいて、ワイヤレス受信器の定期受信時刻、各種の通報の受信時刻を、ワイヤレス受信器の定期受信間隔を基準にして特定する手段とを備えていることを特徴とする。
請求項３では、ワイヤレス受信器の記憶保持手段は、階層構造をなし、かつ、それぞれの履歴メモリには、定期送信の異常、各種の通報の有無を示す１ビット情報を格納されるエリアが設けられた、一日履歴メモリ、週間履歴メモリ、月間履歴メモリと、定期送信の異常、各種の通報があったときには、その旨を格納する補助メモリを備えた構成としている。
請求項４では、請求項２，３のいずれかに記載の本発明によるワイヤレスセキュリティシステムにおいて、読出端末装置は、電話回線を介して上記ワイヤレス受信器に接続され、ワイヤレス受信器から受信履歴データの読み出しを電話回線を介して行うことを特徴とする。
【０００８】
請求項２に記載の本発明によるワイヤレスセキュリティシステムは、請求項１に記載の本発明によるワイヤレスセキュリティシステムであって、ワイヤレス送信器が、定期送信及び各種の通報に関するデータを記憶保持するための第一の記憶手段を備え、定期送信間隔ごとに、その期間内における定期送信及び各種の通報に関するデータを第一の記憶手段に格納する構成とされる。
【０００９】
請求項３に記載の本発明によるワイヤレスセキュリティシステムは、請求項２に記載の本発明によるワイヤレスセキュリティシステムであって、ワイヤレス送信器が、第一の記憶手段に保持されているデータを、１又は２以上の定期送信間隔について集計したデータとして記憶保持する第二の記憶手段を備え、この集計データが、集計の対象となっている期間における異常の有無と、この期間における異常のあった定期送信間隔についての第一の記憶手段のデータとにより構成される。
【００１０】
請求項４に記載の本発明によるワイヤレスセキュリティシステムは、請求項３に記載の本発明によるワイヤレスセキュリティシステムであって、ワイヤレス送信器が、第二の記憶手段に保持されている複数の集計結果について、さらに集計したデータを記憶保持する第三の記憶手段を備え、集計データが、集計の対象となっている期間における異常の有無と、異常のあった定期送信間隔についての第一の記憶手段のデータと、これらを関連づけるためのデータとにより構成される。
【００１１】
請求項５に記載の本発明によるワイヤレスセキュリティシステムは、ワイヤレス送信器からワイヤレス受信器へ定期送信及び各種の通報を行うとともに、読出端末装置がこれらの通信記録を読み出すワイヤレスセキュリティシステムであって、ワイヤレス受信器が、予め定められた定期受信間隔を繰り返し計測する受信タイマ手段を備え、読出端末装置が、ワイヤレス受信器からのデータの読み出し時刻を求める内部時計と、この内部時計の出力及びワイヤレス受信器から読み出されたデータに基づいて、定期送信及び各種の通報の受信時刻を求める手段とを備えて構成される。
【００１２】
請求項６に記載の本発明によるワイヤレスセキュリティシステムは、請求項５に記載の本発明によるワイヤレスセキュリティシステムであって、ワイヤレス受信器が、定期送信及び各種の通報の受信に関するデータを記憶保持するための第一の記憶手段を備え、定期受信間隔ごとに、その期間内における定期送信及び各種の通報の受信に関するデータを第一の記憶手段に格納する構成とされる。
【００１３】
請求項７に記載の本発明によるワイヤレスセキュリティシステムは、請求項６に記載の本発明によるワイヤレスセキュリティシステムであって、ワイヤレス受信器が、第一の記憶手段に保持されているデータを、１又は２以上の定期受信間隔について集計したデータとして記憶保持する第二の記憶手段を備え、集計データが、集計の対象となっている期間における異常の有無と、この期間における異常のあった定期受信間隔についての第一の記憶手段のデータとにより構成される。
【００１４】
請求項８に記載の本発明によるワイヤレスセキュリティシステムは、請求項７に記載の本発明によるワイヤレスセキュリティシステムであって、ワイヤレス受信器が、第二の記憶手段に保持されている複数の集計結果について、さらに集計したデータを記憶保持する第三の記憶手段を備え、集計データが、集計の対象となっている期間における異常の有無と、異常のあった定期受信間隔についての第一の記憶手段のデータと、これらを関連づけるためのデータとにより構成される。
【００１５】
請求項９に記載の本発明によるワイヤレスセキュリティシステムは、請求項８に記載の本発明によるワイヤレスセキュリティシステムであって、上記読出端末装置が、電話回線を介して上記ワイヤレス受信器に接続されて構成される。
ここで、「定期送信」とは、一定の定期期間ごとにワイヤレス送信器からワイヤレス信号を送信することをいう。これに対し、各種の通報とは、ワイヤレス送信器からの不定期の送信であり、定期送信以外の送信を意味する。
【００１６】
また、第一の記憶手段、第二の記憶手段及び第三の記憶手段は、それぞれを独立の記憶手段として構成されたもののみならず、同一の記憶手段の異なる記憶領域として構成されたものも含まれる。さらに、同一の記憶手段の異なる記憶領域として構成した場合に、各領域が固定された領域として予め確保されているか否かは問わない。
【００１７】
【発明の実施の形態】
本発明によるワイヤレスセキュリティシステムのシステム構成の一例を図１に示す。このシステムは、ワイヤレス送信器１と、ワイヤレス受信器２と、ワイヤレス送信器１又はワイヤレス受信器２に接続される読出端末装置３とにより構成される。
【００１８】
ワイヤレス送信器１は、定期送信及び各種の通報に関するワイヤレス信号をワイヤレス受信器２へ送信するとともに、これらの送信に関する履歴情報を内部に記憶保持している。一方、ワイヤレス受信器２は、これらのワイヤレス信号を受信して発報するとともに、これらの受信に関する履歴情報を内部に記憶保持している。
【００１９】
ここで、各種の通報とは、ワイヤレス送信器の電池が消耗したことを知らせる電池切れ通報や、センサにより火災を検知した場合や緊急押釦が押下された場合に、緊急時であることを知らせる通報等をいう。
読出端末装置３は、ワイヤレス送信器１又はワイヤレス受信器２に接続され、それぞれの内部に記憶保持している送信情報又は受信情報を読み出す。読出端末装置３は、この様にして、読み出されたデータを比較することにより、何時、どの様な信号がワイヤレス送信器から送信されていたのか、そして、これらの信号がワイヤレス受信器により受信されてされていたのかどうかを把握することができる。
【００２０】
図１に示したワイヤレス送信器１の要部の一構成例を図２に示す。このワイヤレス送信器１は、記憶手段１０と、ワイヤレス送信手段１１と、中央処理手段１２と、データ出力端子１３と、送信タイマ１４とにより構成される。
中央処理手段１４は、このワイヤレス送信器１の全体を制御するためのものであり、送信タイマ１３は、予め定められた一定時間である定期送信間隔Ｔｓを繰り返し計測して、定期送信のタイミングを出力する手段である。即ち、定期送信間隔Ｔｓが、経過すればリセットされて、再び定期送信間隔Ｔｓが経過するまで計時を行うものである。
【００２１】
ワイヤレス送信手段１１は、中央処理手段１２の制御により、ワイヤレス受信器２に対してワイヤレス信号を送信する手段であり、データ出力端子１３は、必要に応じて読取端末装置３が接続され、記憶手段１０に保持されたデータ及び上記送信タイマの計数値を読取端末装置３へ出力するための手段である。
記憶手段１０は、ワイヤレス信号の送信履歴を記憶保持する手段であり、本実施例においては、ＲＡＭ及びＥＥＰＲＯＭにより構成される。このＲＡＭは、後述する一日履歴メモリＭ１、週間履歴メモリＭ２ａ及び週間補助メモリＭ２ｂとして使用され、ＥＥＰＲＯＭは、月間履歴メモリＭ３ａ及び月間補助メモリＭ３ｂとして使用される。
【００２２】
図１に示したワイヤレス受信器２の要部の一構成例を図３に示す。このワイヤレス受信器２は、記憶手段２０と、ワイヤレス受信手段２１と、中央処理手段２２と、データ出力端子２３と、受信タイマ２４とにより構成される。
中央処理手段２２は、このワイヤレス受信器２の全体を制御するためのものであり、受信タイマ２４は、上記定期送信間隔Ｔｓと同一の期間に予め定められた定期受信間隔Ｔｒで繰り返し計測する手段である。即ち、定期受信間隔Ｔｒが、経過すればリセットされて、再び定期受信間隔Ｔｒが経過するまで計時を行うものである。
【００２３】
ワイヤレス受信手段２１は、ワイヤレス送信器１からのワイヤレス信号を受信する手段であり、データ出力端子２３は、必要に応じて読取端末装置３が接続され、記憶手段１０に保持されたデータ及び上記送信タイマの計時値を読取端末装置３へ出力するための手段である。
記憶手段２０は、ワイヤレス信号の受信履歴を記憶保持する手段であり、本実施例においては、ＲＡＭ及びＥＥＰＲＯＭにより構成される。このＲＡＭは、後述する基準履歴メモリＭ４、一日履歴メモリＭ５ａ、週間履歴メモリＭ６及び補助メモリＭ５ｂとして使用され、ＥＥＰＲＯＭは、月間履歴メモリＭ７ａ及び月間補助メモリＭ７ｂとして使用される。
【００２４】
ワイヤレス送信器１、ワイヤレス受信器２間におけるワイヤレス信号の送受信の様子を図４の（ａ）〜（ｄ）に示す。これらは、いずれも時間の経過を横軸にとっている。図中の（ａ）、（ｂ）は、２つのワイヤレス送信器１ａ、１ｂの定期送信の様子を示したものである。これらのワイヤレス送信器１ａ、１ｂの定期送信は、前回の定期送信から定期送信間隔Ｔｓだけ経過した時点で、送信タイマ１４の出力に基づいて行われる。ここで、（ａ）及び（ｂ）に示した定期送信間隔Ｔｓはいずれも同一時間であるが、定期送信開始時は同一でない。即ち、定期送信の間隔は同一であるが、その起点は同一ではなく、ずれを有している。
【００２５】
図中の（ｃ）は、ワイヤレス送信器１ａから発報信号又は電池切れ通報がワイヤレス送信される様子を示した図である。１００回目の定期送信後に、発報又は電池切れが検出されて、１００回目と１０１回目の定期送信の間に、ワイヤレス信号が送信されている。
図中の（ｄ）は、ワイヤレス受信器２の定期受信間隔Ｔｒと各ワイヤレス送信器１ａ、１ｂからの信号の受信との関係を示した図である。定期受信間隔Ｔｒは定期送信間隔Ｔｓと同一時間である。従って、各定期受信間隔Ｔｒ内において、ワイヤレス送信器１ａからの定期送信信号と、ワイヤレス送信器１ｂからの定期送信信号とが１回ずつ受信されている。
【００２６】
そして、いずれかのワイヤレス送信器から発報又は電池切れ通報によるワイヤレス信号が送信されると、ワイヤレス受信器２は、上記定期送信信号に加えて、これらの信号をも受信することになる。
次に、ワイヤレス送信器１の送信履歴データについて、図５及び図６を用いて説明する。
【００２７】
図５は、通常時にワイヤレス送信器１の記憶手段１０に格納される履歴データの一例を示したものである。即ち、発報信号及び電池切れ通報等のワイヤレス送信がなく、定期送信が定期送信間隔Ｔｓごとにワイヤレス送信されている場合における記憶手段のデータを示したものである。
この記憶手段１０は、ＲＡＭ及びＥＥＰＲＯＭにより構成され、ＲＡＭは、第一の記憶手段としての一日履歴メモリＭ１と、第二の記憶手段としての週間履歴メモリＭ２ａ及び週間補助メモリＭ２ｂとにより構成される一方、ＥＥＰＲＯＭは、第三の記憶手段としての月間履歴メモリＭ３ａ及び月間補助メモリＭ３ｂにより構成される。
【００２８】
一日履歴メモリＭ１は、ワイヤレス送信の有無を、１〜１４４までの時刻ごとに定期送信情報、発報情報、電池切れ情報として記憶保持する記憶手段である。ここで、時刻とは、送信タイマ１４のリセット回数に対応しており、時刻１〜１４４は最初のリセットから数えて何回目の定期送信間隔であるのかを示すものである。この例において、定期送信間隔Ｔｓを１０分としているために、１４４回が一日に相当する。
【００２９】
定期送信情報とは、直前のタイミングで定期送信が行われたかどうかを示す１ビットのデータであり、発報情報とは、その定期送信間隔内において、発報信号が送信されたかどうかを示す１ビットであり、電池切れ情報とは、電池切れ通報を送信したかどうかを示す１ビットのデータである。いずれのデータも、「１」が、送信のあったことを示し、「０」が、送信のなかったことを示す。
【００３０】
一日分の送信履歴が格納された状態において、一日履歴メモリＭ１において異常が無かった場合には、週間履歴メモリＭ２ａの所定の位置に正常であることを示す「１」が格納される。ここで、週間履歴メモリＭ２ａとは、１週間の各日ごとの異常の有無を示す１ビットのデータを記憶保持する記憶手段である。
即ち、全ての時刻における定期送信情報が送信済みを示す「１」であり、かつ、全ての時刻における発報情報及び電池切れ情報が共に、未送信を示す「０」であれば、週間履歴メモリＭ２ａに「１」が格納される。格納すべき領域は、例えば、週間履歴データの２日目までの領域が、既に使用されていれば、３日目の領域である。
【００３１】
この様にして、１週間分のデータが、週間履歴メモリＭ２ａに格納され、全てのデータが「１」であった場合、即ち、いずれの日においても異常が無かった場合には、月間履歴メモリＭ３ａの所定の位置に正常であることを示す「１」が格納される。ここで、月間履歴メモリＭ２ａとは、一ヶ月間の各週ごとの異常の有無データを記憶保持する記憶手段である。
【００３２】
異常がない場合には、この様にして送信履歴が、日ごと、週ごとに集計されていき、正常であるという結果のみが、記憶手段１０内に保持されているため、期間が経過しても保持しているデータ量は、ほとんど増大しない。なお、この場合には、週間補助メモリＭ２ｂ、月間補助メモリＭ３ｂは使用されない。
図６は、異常が発生した場合において、ワイヤレス送信器１の記憶手段１０に格納される履歴データの一例を示したものである。
【００３３】
この図においては、一日履歴メモリＭ１の時刻３において、発報情報が「１」となっており、また、時刻１４４において、電池切れ情報が「１」となっている。従って、時刻３において発報信号が送信され、時刻１４４において電池切れ通報が送信されたことを示している。
ここで、例えば、この一日履歴メモリＭ１のデータが、週間履歴メモリＭ２ａの３日目に該当するとすれば、集計時に３日目の集計情報として「０」が格納されるとともに、週間履補助メモリＭ２ｂに、一日履歴メモリＭ１の時刻３及び時刻１４４の全ての情報が格納される。
【００３４】
その後、一週間分の履歴データを集計する際には、例えば、この週が月間履歴メモリＭ３ａの３週目に該当するとすれば、集計時に３週目の集計情報として「０」が格納されるとともに、月間補助メモリＭ３ｂに、週間補助メモリＭ２ｂの全ての情報、即ち、３日目の時刻３及び時刻１４４の全情報が格納される。
このとき、月間履歴メモリＭ３ａの３週目の「０」と月間補助メモリＭ３ｂに新たに格納した２つの情報とを関連付けるためのデータをも格納しておく。例えば、３週目の異常の内容が、月間補助メモリ３ｂ内のどこに格納してあるのかを示すポインタを「０」とともに、月間履歴メモリ３ａに書き込んでおく。この様な構成とすることにより、月間履歴メモリ３ａ内の複数の週において、異常があった場合であっても、それぞれの週の異常が、月間補助メモリ３ｂ内のどの情報に対応するのかを明らかにすることができる。
【００３５】
このワイヤレス送信器１の送信履歴の記録動作のフローチャートの一例を図７から図９に示す。図８は、図７のメモリＭ１の集計のステップ（７０６）をさらに詳細に説明したフローチャートであり、図９は、図７のメモリＭ２ａの集計のステップ（７０８）をさらに詳細に説明したフローチャートである。
まず、送信タイマ１４の始動後に（７００）、発報又は電池切れが発生したかを検査する（７０１、７０２）。また、送信タイマ１４の出力に基づいて、定期送信間隔Ｔｓである１０分が経過したかを検査する（７０３）。この結果、発報、電池切れが発生し、或は、定期送信時間Ｔｓが経過していれば、一日履歴メモリＭ１を更新する。
【００３６】
この更新が、定期送信による更新であれば、時刻が１４４であるのかを検査する（７０５）。即ち、一日分のデータが一日履歴メモリＭ１に記録されたのかを検査して、一日分に達していれば、これらの一日履歴メモリＭ１の内容を集計する（７０６）。
この集計作業は、一日履歴メモリＭ１に異常データがあるかどうかを検査し（８００）、異常データがあった場合には、異常のあった時刻の全情報が、週間補助メモリＭ２ｂに格納され（８０１）、週間履歴メモリＭ２ａには集計結果として「０」が書き込まれる（８０２）。一方、異常データがなかった場合には、週間補助メモリＭ２ｂは更新されず、週間履歴メモリＭ２ａに集計結果として「１」が書き込まれる（８０２）。これらの更新の後、一日履歴メモリＭ１の内容は消去される（８０３）。
【００３７】
一日履歴メモリＭ１の集計（７０６）を終えると、７日目であるのかが検査され（７０７）、７日目であれば、さらに週間履歴メモリ２ａの内容が集計される（７０８）。
この集計作業は、一日履歴メモリＭ１の集計（７０６）と同様、週間履歴メモリＭ２ａに異常データがあるかどうかを検査し（９００）、異常データがあった場合には、週間補助メモリＭ２ｂの内容が、月間補助メモリＭ３ｂに格納され（９０１）、月間履歴メモリＭ３ａには集計結果として「０」が書き込まれる（９０２）。一方、異常データがなかった場合には、月間補助メモリＭ３ｂは更新されず、月間履歴メモリＭ３ａに集計結果として「１」が書き込まれる（９０２）。これらの更新の後、週間履歴メモリＭ２ａ及び週間補助メモリＭ２ｂの内容は消去される（９０３）。
【００３８】
なお、一日履歴メモリＭ１が更新された場合には、送信タイマ１４がリセットされて（７０９）、再び発報の有無を検査する（７０１）。
次に、ワイヤレス受信器２の受信履歴データについて、図１０及び図１１を用いて説明する。
図１０は、通常時にワイヤレス受信器２の記憶手段２０に格納される履歴データの一例を示したものである。即ち、発報信号及び電池切れ通報等のワイヤレス信号を受信せず、定期送信信号のみを定期受信間隔Ｔｒごとに受信している場合における記憶手段のデータを示したものである。なお、このワイヤレス受信器２は、３つのワイヤレス送信器からの信号を受信するものとし、各送信器には、１から３の番号が割り当てられているものとする。
【００３９】
この記憶手段１０は、ＲＡＭ及びＥＥＰＲＯＭにより構成され、ＲＡＭは、基本履歴メモリＭ４と、一日履歴メモリＭ５ａと、補助メモリ５ｂと、週間履歴メモリＭ６とにより構成される一方、ＥＥＰＲＯＭは、月間履歴メモリＭ３ａと、月間補助メモリＭ３ｂとにより構成される。ここでは、基本履歴メモリＭ４が、第一の記憶手段に相当し、一日履歴メモリＭ５ａ及び補助メモリ５ｂが、第二の記憶手段に相当し、週間履歴メモリＭ６及び補助メモリ５ｂが第三の記憶手段に相当する。従って、補助メモリ５ｂは、第二の記憶手段の一部と第三の記憶手段の一部とを共用化したものである。
【００４０】
基本履歴メモリＭ４は、単一の定期受信間隔Ｔｒ内においてワイヤレス信号が受信されたか否かを、各ワイヤレス送信器ごとに記憶保持する記憶手段であり、各送信器ごとの定期送信情報、発報情報、電池切れ情報が格納される。
定期送信情報とは、定期送信信号を受信したかどうかを示す１ビットのデータであり、発報情報とは、発報信号が受信されたかどうかを示す１ビットであり、電池切れ情報とは、電池切れ通報を受信したかどうかを示す１ビットのデータである。いずれのデータも、「１」が、受信されたことを示し、「０」が、受信されなかったことを示す。
【００４１】
一日履歴メモリＭ５ａは、定期受信間隔Ｔｒごとに基本履歴メモリＭ４の内容を集計し、異常データの有無のみを集計結果として記憶保持する記憶手段であり、異常がなかった場合には、一日履歴メモリＭ５ａの所定の位置に正常であることを示す「１」が格納される。
ここで、異常がなかった場合は、全ての送信器に関する定期送信情報が受信済みを示す「１」であり、かつ、全ての送信器に関する発報情報及び電池切れ情報が共に、未受信を示す「０」である場合をいう。
【００４２】
この一日履歴メモリＭ５ａは、１〜１４４までの時刻ごとの集計結果を記憶保持することができる。この例において、定期受信間隔Ｔｒを１０分としているために、１４４回が一日に相当する。
同様にして、一日分の送信履歴が格納された状態において、一日履歴メモリＭ５ａにおいて異常が無かった場合には、週間履歴メモリＭ６の所定の位置に正常であることを示す「１」が格納される。ここで、週間履歴メモリＭ６とは、１週間の各日ごとの異常の有無データを記憶保持する記憶手段である。
【００４３】
さらに、１週間分のデータが、週間履歴メモリＭ６に格納され、いずれの日においても異常が無かった場合には、月間履歴メモリＭ７ａの所定の位置に正常であることを示す「１」が格納される。ここで、月間履歴メモリＭ７ａとは、一ヶ月間の各週ごとの異常の有無データを格納するためのメモリである。
異常がない場合には、この様にして送信履歴が、定期受信期間Ｔｒごと、日ごと、週ごとに集計されていき、正常であるという結果のみが、記憶手段１０内に保持されているため、期間が経過しても保持しているデータ量は、ほとんど増大しない。なお、この場合には、補助メモリＭ５ｂ、月間補助メモリＭ７ｂは使用されない。
【００４４】
図１１は、異常が発生した場合において、ワイヤレス受信器２の記憶手段２０に格納される履歴データの一例を示したものである。
図中の基本履歴メモリＭ４は、定期受信間隔Ｔｒ内において、送信器番号１の送信器の定期送信信号を受信できず、送信器番号２の送信器の発報信号を受信した場合の状態を示したものである。
【００４５】
これが時刻３であれば、一日履歴データの時刻３の領域に異常を示す「０」が格納されるとともに、基本履歴メモリＭ４の内容が日付とともに補助メモリ５ｂに格納される。
その後、一日分の履歴データを集計する際には、例えば、この日が週間履歴メモリＭ６の３日目に該当するとすれば、集計時に３日目の集計情報として「０」が格納される。このとき、補助メモリ５ｂの内容の更新は行われない。
【００４６】
さらに、一週間分の履歴データを集計する際には、例えば、この週が月間履歴メモリＭ７ａの３週目に該当するとすれば、集計時に３週目の集計情報として「０」が格納されるとともに、月間補助メモリＭ７ｂに、補助メモリＭ５ｂの全ての情報が格納される。
このとき、月間履歴メモリＭ７ａの３週目の「０」と月間補助メモリＭ７ｂに新たに格納した２つの情報とを関連付けるためのデータをも格納しておく。例えば、３週目の異常内容が、月間補助メモリ７ｂ内のどこに格納してあるのかを示すポインタを「０」とともに、月間履歴メモリ７ａに書き込んでおく。この様な構成とすることにより、月間履歴メモリ７ａ内の複数の週において、異常があった場合であっても、それぞれの週の異常が、月間補助メモリ７ｂ内のどの情報に対応するのかを明らかにすることができる。
【００４７】
このワイヤレス受信器２の受信履歴の記録動作のフローチャートを図１２から図１４に示す。図１３は、図１２のメモリＭ５ａ、Ｍ５ｂの更新ステップ（１２０４）をさらに詳細に説明したフローチャートであり、図１４は、図１２のメモリＭ６の集計ステップ（１２０８）をさらに詳細に説明したフローチャートである。
【００４８】
まず、受信タイマ２４の始動後に（１２００）、定期送信、発報信号又は電池切れ通知のワイヤレス信号を受信したかを検査する（１２０１）。これらの信号を受信すれば、基本履歴メモリＭ４を更新する（１２０２）。その後、受信タイマ２４の出力に基づいて、定期受信間隔Ｔｒである１０分が経過したかを検査する（１２０３）。この結果、定期受信時間Ｔｒが経過していれば、基本履歴メモリＭ４の内容を集計する（１２０４）。
【００４９】
この集計作業は、基本履歴メモリＭ４に異常データがあるかどうかを検査し（１３００）、異常データがあった場合には、基本履歴メモリＭ４の全情報が、日付を付して補助メモリ５ｂに格納され（１３０１）、一日履歴メモリＭ５ａに集計結果として「０」が書き込まれる（１３０２）。一方、異常データがなかった場合には、補助メモリＭ５ｂは更新されず、一日履歴メモリＭ５ａに集計結果として「１」が書き込まれる（１３０２）。これらの更新の後、基本履歴メモリＭ４の内容は消去される（１３０３）。
【００５０】
次に、時刻が１４４であるのかを検査する（１２０５）。即ち、一日分のデータが一日履歴メモリＭ５ａに記録されたのかを検査して、一日分に達していれば、これらの一日履歴メモリＭ５ａの内容を集計する（１２０６）。この集計結果は、週間履歴メモリＭ６に「０」又は「１」として格納され、一日履歴メモリＭ５ａの内容は消去される。なお、補助メモリＭ５ｂには、既に、異常時の情報が日付を付して保持されているため、更新されない。
【００５１】
一日履歴メモリＭ５ａの集計（１２０６）を終えると、７日目であるのかが検査され（１２０７）、７日目であれば、さらに週間履歴メモリＭ６の内容が集計される（１２０８）。
この集計作業は、週間履歴メモリＭ６ａに異常データがあるかどうかを検査し（１４００）、異常データがあった場合には、補助メモリＭ５ｂの内容が、月間補助メモリＭ７ｂに格納され（１４０１）、月間履歴メモリＭ７ａに集計結果として「０」が書き込まれる（１４０２）。一方、異常データがなかった場合には、月間補助メモリＭ７ｂは更新されず、月間履歴メモリＭ７ａに集計結果として「１」が書き込まれる（１４０２）。これらの更新の後、週間履歴メモリＭ６及び補助メモリＭ５ｂの内容は消去される（１４０３）。
【００５２】
なお、一日履歴メモリＭ５ａが更新された場合には、受信タイマ２４がリセットされて（１２０９）、再びワイヤレス信号の受信の有無を検査する（１２０１）。
さて、図１に示した読出端末装置３は、必要に応じてワイヤレス送信器１のデータ出力端末１３に接続されて、ワイヤレス送信器１の記憶手段１０に保持されている情報及び送信タイマ１４の計数値を読み出す。この読出端末装置３は内部時計（不図示）を備えて構成されており、この内部時計に基づいて、各送信情報の時刻を特定する。
【００５３】
例えば、上記読み出し操作が、送信タイマの始動から数えて１００回目の定期送信を行った後、１０１回目の定期送信を行う前であったとすれば、この時の時刻１００という情報と、タイマの計時値とを読出端末装置３によって読み出せば、内部時計によって判明した現在時刻から逆算して、各送信情報のおよその時刻帯が判断出来る。
即ち、記憶手段から読み出した発報情報が、時刻９７において「１」であり、定期送信間隔Ｔｓが１０分であり、時刻１００後の読み出し時のタイマの計時値が８分に相当するならば、この発報信号は、読出端末装置３の読み出し時の現在時刻よりも２８分前から３８分前までの時刻帯に送信されていることが判る。また、時刻だけでなく、日及び週についても同様にして逆算することにより、対応させることができる。
【００５４】
全く同様にして、読出端末装置３は、ワイヤレス受信器２のデータ出力端末２３に接続されて、ワイヤレス受信器２の記憶手段２０に保持されている情報及び受信タイマ２４の計数値を読み出して、内部時計に基づく読み出し時の日付及び時刻から逆算して、各受信情報と日付及び時刻とを対応させることができる。
この様にして、ワイヤレス送信器１及びワイヤレス受信器２の履歴情報を日付及び時刻と対応づけながら読み出すことにより、両者の履歴情報を比較することが可能となる。
【００５５】
例えば、ワイヤレス送信器１から信号送信が行われているにも関わらず、ワイヤレス受信器２がこの送信信号を受信できなかった場合や、ワイヤレス送信器１から信号送信が行われていないにも関わらず、ワイヤレス受信器２が信号を受信している様な場合を履歴情報の比較により、判別することができる。
従って、ワイヤレス送信器１、ワイヤレス受信器２間の無線通信状態や、過去の失報の有無、頻度等を確認することができ、動作不良の原因の解析を容易にすることができる。
【００５６】
さらに、ワイヤレス受信器２を電話回線を介して読出端末装置３に接続したワイヤレスセキュリティシステムのシステム構成の一例を図１５に示す。
このワイヤレスセキュリティシステムは、ワイヤレス受信器２’が、自動通報器４を介して電話回線に接続され、電話回線に接続された管理センターの端末装置５が上記読出端末装置としての機能を有する。一方、ワイヤレス送信器１は、図１に示したワイヤレスセキュリティシステムと同様、必要に応じて読出端末装置３が接続されて、読み出しを行う構成とされる。
【００５７】
このワイヤレス受信器２’の一構成例を図１６に示す。このワイヤレス受信器２’は、自動通報器接続端子２５を備えて構成される。この自動通報器接続端子２５は、自動通報器４を接続し、自動通報器４との間でデータの入出力を行うための手段である。
ワイヤレス受信器２’は、ワイヤレス送信器１から発報信号又は電池切れ通報を受信すると、自動通報器４が、管理センター５の端末装置５に対して、電話をかけて、発報或は電池切れであることを知らせる。
【００５８】
一方、管理センターの端末装置５から自動通報器に対して電話をかけて、読み出しを指示すると、ワイヤレス受信器２’から記憶手段２０に保持している情報及び受信タイマの計時値が出力され、電話回線を介して管理センターの端末装置５へ送られる。
【発明の効果】
請求項１に記載の本発明によるワイヤレスセキュリティシステムによれば、ワイヤレス送信器が内部時計を備えていなくても、読出端末装置がワイヤレス送信器にアクセスして、ワイヤレス送信器から送信履歴情報を読み出した際に、内部時計の現在時刻と、ワイヤレス送信器の送信タイマ手段の計時値を読み出せば、定期送信間隔に基づいて、定期送信、各種の送信時刻のおよその時刻帯を特定することができるので、ワイヤレス送信器を、内部時計を有しない簡易で安価な構成にした場合にも、時刻と対応付けられた送信履歴情報を取得することができ、信頼性の高いワイヤレスセキュリティシステムを安価に提供することができる。また、送信器に記憶保持される送信履歴情報が、各情報ごとに日付や時分とともに保持されているものに比べて、履歴情報のデータ量を縮小することができるので、同じ容量の記憶手段に、より多くの履歴情報を記憶保持させることができる。
請求項２，３に記載の本発明によるワイヤレスセキュリティシステムによれば、ワイヤレス受信器に内部時計を備えていなくても、請求項１と同様な効果が得られる。
また、請求項４に記載のワイヤレスセキュリティシステムによれば、通報用の電話回線を介して、受信データを読出端末装置へ出力するため、読み出し時に読出端末装置をワイヤレス受信器に接続しなくても、履歴情報を簡易に得ることができる。
【００５９】
【発明の効果】
請求項１及び２に記載の本発明によるワイヤレスセキュリティシステムは、ワイヤレス送信器が送信タイマ手段を備え、上記読出端末装置が内部時計を備え、この内部時計に基づいて、定期送信及び各種の通報の送信時刻を求める。
このため、上記ワイヤレス送信器が内部時計を備えていなくても、時刻と対応付けられた送信履歴情報を取得することができ、信頼性の高いワイヤレスセキュリティシステムを安価に提供することができる。
【００６０】
また、ワイヤレス送信器に記憶保持される履歴情報が、各情報ごとに日付や時分という時刻の情報とともに保持されているのではないため、履歴情報のデータ量を縮小することができ、同じ容量の記憶手段に、より多くの履歴情報を記憶保持させることができる。
請求項３に記載の本発明によるワイヤレスセキュリティシステムは、第一の記憶手段に保持されている送信情報を、集計して第二の記憶手段に格納することにより履歴情報のデータ量をさらに縮小することができる。
【００６１】
即ち、集計されたデータは、集計対象となっている全期間の異常の有無と、異常のあった定期送信間隔についての上記第一の記憶手段の情報とにより構成されるが、異常の発生は極めて頻度が低いことから、履歴情報のデータ量を大幅に縮小することができる。
請求項４に記載の本発明によるワイヤレスセキュリティシステムは、第二の記憶手段に保持されている送信情報を、集計して第三の記憶手段に格納することにより履歴情報のデータ量をさらに縮小することができる。
【００６２】
即ち、集計されたデータは、集計対象となっている全期間の異常の有無と、異常のあった定期送信間隔についての上記第一の記憶手段の情報と、これらを関連づけるためのデータにより構成され、送信履歴情報を時刻と対応付けておくとともに、履歴情報のデータ量を大幅に縮小することができる。
請求項５及び６に記載の本発明によるワイヤレスセキュリティシステムは、ワイヤレス受信器が受信タイマ手段を備え、上記読出端末装置が内部時計を備え、この内部時計に基づいて、定期送信及び各種の通報の受信時刻を求める。
【００６３】
このため、上記ワイヤレス受信器が内部時計を備えていなくても、時刻と対応付けられた受信履歴情報を取得することができ、信頼性の高いワイヤレスセキュリティシステムを安価に提供することができる。
また、ワイヤレス受信器に記憶保持される履歴情報が、各情報ごとに日付や時分という時刻の情報とともに保持されているのではないため、履歴情報のデータ量を縮小することができ、同じ容量の記憶手段に、より多くの履歴情報を記憶保持させることができる。
【００６４】
請求項７に記載の本発明によるワイヤレスセキュリティシステムは、ワイヤレス受信器の第一の記憶手段に保持されている受信情報を、集計して第二の記憶手段に格納することにより履歴情報のデータ量をさらに縮小することができる。
即ち、集計されたデータは、集計対象となっている定期受信期間の異常の有無と、異常のあった場合についての上記第一の記憶手段の情報とにより構成されるが、異常の発生は極めて頻度が低いことから、履歴情報のデータ量を大幅に縮小することができる。
【００６５】
請求項８に記載の本発明によるワイヤレスセキュリティシステムは、ワイヤレス受信器の第二の記憶手段に保持されている受信情報を、集計して第三の記憶手段に格納することにより履歴情報のデータ量をさらに縮小することができる。
即ち、集計されたデータは、集計対象となっている全期間の異常の有無と、異常のあった定期受信間隔についての上記第一の記憶手段の情報と、これらを関連づけるためのデータにより構成され、受信履歴情報を時刻と対応付けておくとともに、履歴情報のデータ量を大幅に縮小することができる。
【００６６】
請求項９に記載の本発明によるワイヤレスセキュリティシステムは、通報用の電話回線を介して、受信データを読出端末装置へ出力する。このため、読み出し時に読出端末装置をワイヤレス受信器に接続しなくても、履歴情報を得ることができる。
【図面の簡単な説明】
【図１】本発明によるワイヤレスセキュリティシステムのシステム構成の一例を示した図である。
【図２】図１に示したワイヤレス送信器の要部の一構成例を示した図である。
【図３】図１に示したワイヤレス受信器の要部の一構成例を示した図である。
【図４】ワイヤレス送信器、ワイヤレス受信器間におけるワイヤレス信号の送受信の様子の一例を示した図である。
【図５】通常時にワイヤレス送信器の記憶手段に格納される履歴データの一例を示た図である。
【図６】異常が発生した場合にワイヤレス送信器の記憶手段に格納される履歴データの一例を示した図である。
【図７】ワイヤレス送信器の送信履歴の記録動作の一例を示したフローチャートである。
【図８】図７のステップ７０６をさらに詳細に説明したフローチャートである。
【図９】図７のステップ７０８をさらに詳細に説明したフローチャートである。
【図１０】通常時にワイヤレス送信器の記憶手段に格納される履歴データの一例を示した図である。
【図１１】異常が発生した場合にワイヤレス受信器の記憶手段に格納される履歴データの一例を示した図である。
【図１２】ワイヤレス受信器の受信履歴の記録動作の一例を示したフローチャートである。
【図１３】図１２のステップ１２０４をさらに詳細に説明したフローチャートである。
【図１４】図１２のステップ１２０８をさらに詳細に説明したフローチャートである。
【図１５】ワイヤレス受信器を電話回線を介して読出端末装置に接続したワイヤレスセキュリティシステムのシステム構成の一例を示した図である。
【図１６】図１５に示したワイヤレス受信器の要部の一構成例を示した図である。
【符号の説明】
１、１ａ、１ｂ、１ｃ・・・ワイヤレス送信器
２、２’・・・ワイヤレス受信器
３、５  ・・・読出端末装置
１０    ・・・ワイヤレス送信器の第一の記憶手段、第二の記憶手段及び第三の記憶手段
Ｍ１    ・・・ワイヤレス送信器の第一の記憶手段
Ｍ２ａ、Ｍ２ｂ・・・ワイヤレス送信器の第二の記憶手段
Ｍ３ａ、Ｍ３ｂ・・・ワイヤレス送信器の第三の記憶手段
１４    ・・・送信タイマ
２０    ・・・ワイヤレス受信器の第一の記憶手段、第二の記憶手段及び第三の記憶手段
Ｍ４    ・・・ワイヤレス受信器の第一の記憶手段
Ｍ５ａ、Ｍ５ｂ・・・ワイヤレス受信器の第二の記憶手段
Ｍ６、Ｍ５ｂ・・・ワイヤレス受信器の第三の記憶手段
２４    ・・・受信タイマ
【図１】
0003614964.tif 000002
【図２】
0003614964.tif 000003
【図３】
0003614964.tif 000004
【図４】
0003614964.tif 000005
【図５】
0003614964.tif 000006
【図６】
0003614964.tif 000007
【図７】
0003614964.tif 000008
【図８】
0003614964.tif 000009
【図９】
0003614964.tif 000010
【図１０】
0003614964.tif 000011
【図１１】
0003614964.tif 000012
【図１２】
0003614964.tif 000013
【図１３】
0003614964.tif 000014
【図１４】
0003614964.tif 000015
【図１５】
0003614964.tif 000016
【図１６】
0003614964.tif 000017